(57)【特許請求の範囲】
【請求項１】
ケースの開口前面に外扉を開閉自在に設けるとともに、外扉の内側に中扉を外扉とは反対方向に開閉自在に設けた配電盤において、ケース側に設けられ、ストッパピン収納部と第１の孔を有する係止部材と、ケース側に設けられ、中扉の開き過ぎを防止するために中扉を係止するストッパと、ケース側に設けられ、ストッパにより係止された中扉が戻り方向に回動するのを係止するストッパピンを挿入される第２の孔と、中扉に設けられた第３の孔を備え、
ストッパピン収納部はストッパピンを挿脱自在に収納するとともに、このストッパピンにより開かれた中扉を隣接配電盤の開かれた外扉と当たらない範囲内で係止し、
第１の孔はストッパピン収納部に収納したストッパピンにより中扉が係止された際に中扉に設けられた第３の孔と重なり、この第１及び第３の孔にストッパピンが挿通される
ことを特徴とする配電盤の中扉係止装置。
【発明の詳細な説明】
【０００１】
【産業上の利用分野】
この発明は、配電盤の中扉係止装置に関するものである。
【０００２】
【従来の技術】
一般に、二重扉方式の配電盤においては外扉とその内側の中扉が設けられており、保守点検等の際には外扉と中扉を開く。図４は外扉を省略した配電盤の要部横断平面図を示し、１はケース、２はケース１に回転中心３を中心に回動自在に支持された中扉であり、本体部２ａとこれと一体で回動中心３を有する軸部材２ｂから成る。４はケース１の下部に立設された開き過ぎ防止ストッパであり、中扉２が所定角度θ度開いたときに中扉２の軸部材２ｂと当接して係止する。又、中扉２の戻り防止のために、ケース２の下部に設けた第２の孔にストッパピン５を立設し、中扉２がその戻り方向に回動するのを係止するようにしている。なお、ストッパピン５は使用しないときには中扉２の軸部２ｂに設けたストッパピン収納部２ｃに収納されている。
【０００３】
【発明が解決しようとする課題】
ところで、図５に示すように配電盤を列盤構成とした場合、左側の配電盤の外扉６を開けた状態において、右側の配電盤の外扉６を開け、さらに中扉２を開けようとすると、外扉６と中扉２は開閉方向が反対であるためにこの両者は衝突し、外扉６側または中扉２側が損傷することとなった。
【０００４】
この発明は上記のような課題を解決するために成されたものであり、配電盤を列盤構成とした場合に、隣接する配電盤の外扉と中扉が開く際に衝突して損傷するのを防止することができるとともに、保守点検等が容易な配電盤の中扉係止装置を得ることを目的とする。
【０００５】
【課題を解決するための手段】
この発明に係る配電盤の中扉係止装置は、ケース側に設けられ、ストッパピン収納部と第１の孔を有する係止部材と、ケース側に設けられ、中扉の開き過ぎを防止するために中扉を係止するストッパと、ケース側に設けられ、ストッパにより係止された中扉が戻り方向に回動するのを係止するストッパピンを挿入される第２の孔と、中扉に設けられた第３の孔を設け、ストッパピン収納部はストッパピンを収納されるとともに、このストッパピンにより開かれた中扉を隣接配電盤の開かれた外扉と当たらない範囲内で係止し、第１の孔はストッパピン収納部に収納したストッパピンにより中扉が係止された際に中扉の第３の孔と重なり、この二つの孔にストッパピンを挿通するようにしたものである。
【０００６】
【作用】
この発明においては、保守点検時等に外扉を開き、中扉を開くと、係止部材のストッパピン収納部に収納されたストッパピンにより中扉が係止され、隣接配電盤の開かれた外扉と衝突しない。又、この状態では係止部材の第１の孔と中扉の第３の孔が重なり、この第１及び第３の孔にストッパピン収納部から引き抜いたストッパピンを挿入することにより中扉は固定され、保守点検等を容易に行うことができる。又、隣接配電盤の外扉が閉じられている場合には、第１及び第３の孔からストッパピンを引き抜き、中扉をケースに設けられたストッパに当接するまで開き、ケース側に設けられた第２の孔にストッパピンを挿入すれば再び中扉は位置固定され、保守点検等をより一層容易に行うことができる。
【０００７】
【実施例】
以下、この発明の実施例を図面とともに説明する。図１（ａ），（ｂ）はこの実施例による中扉係止装置を有する配電盤の要部横断平面図及び要部正面図を示し、外扉６は図示省略してある。又、図２（ａ），（ｂ）はやはりこの実施例による中扉係止装置を有する配電盤の外扉６と中扉２の支持機構とを省略した正面図及びそのＡ−Ａ線横断平面図を示し、図３（Ａ）〜（Ｃ）はこの実施例による係止部材の平面図、側面図、及び裏面図を示す。
【０００８】
図において、７はケース１内底部に取り付けられた係止部材、８は係止部材７に立設されたストッパピン収納部であり、ストッパピン収納部８は係止部材７を貫通して設けられ、ストッパピン５が挿脱自在に挿通される。９は係止部材７に設けられた第１の孔である。又、１０はケース１内底部に設けられた第２の孔であり、ストッパピン５を挿入可能となっている。１１は中扉２の軸部２ｂに設けられた第３の孔である。
【０００９】
次に、上記構成の動作、効果を説明する。配電盤の保守点検時等においては、まず外扉６を開き、次に中扉２を開く。ストッパピン５はストッパピン収納部８に収納されており、中扉２をほぼ９０度開くと中扉２の軸部２ｂがストッパピン５に当接し、中扉２は係止される。このため、中扉２は隣接配電盤の開かれた外扉６と当たらず、中扉２及び外側６とそれぞれの付属部品は損傷しない。又この状態では係止部材７の第１の孔９と中扉２の第３の孔１１が重なるため、ストッパピン収納部８から引き抜いたストッパピン５を第１及び第３の孔９，１１に挿入すると、中扉２は位置固定され、保守点検等を容易に行うことができる。さらに、隣接配電盤の外扉６が閉じられている場合には、ストッパピン５を第１及び第３の孔９，１１から引き抜き、中扉２を開き過ぎ防止用のストッパ４に当接するまで最大限度（約１３５度）開き、第２の孔１０にストッパピン５を挿入すれば、中扉２は再び位置固定され、保守点検等をより一層容易に行うことができる。
【００１０】
【発明の効果】
以上のようにこの発明によれば、ケース側に設けた係止部材にストッパピン収納部と第１の孔を設け、ストッパピン収納部にストッパピンを収納しておくと、中扉を開いた場合に中扉はこのストッパピンにより係止され、列盤構成の隣接配電盤の外扉か開かれている場合でも中扉と外扉は当たらず、中扉、外扉、及びそれぞれの付属品等の損傷が防止される。又、この状態でストッパピンを第１及び第３の孔に挿入すると、中扉は係止部材により位置固定され、保守点検等の作業を容易に行うことができる。さらに、隣接配電盤の外扉が閉じられている場合には、中扉を開き過ぎ防止用のストッパに当接するまで最大限開き、第２の孔にストッパピンを挿入すれば、中扉は最大開き角度で位置固定され、保守点検等を一層容易に行うことができる。
【図面の簡単な説明】
【図１】この発明による中扉係止装置を有する配電盤の外扉を省略した要部横断平面図及び要部正面図である。
【図２】この発明による中扉係止装置を有する配電盤の外扉を省略した正面図及びそのＡ−Ａ線横断平面面図である。
【図３】この発明による係止部材の平面図、側面図、及び裏面図である。
【図４】従来の配電盤の外扉を省略した要部横断平面図である。
【図５】従来の配電盤の列盤構成した場合の要部横断平面図である。
【符号の説明】
１…ケース
２…中扉
４…ストッパ
５…ストッパピン
６…外扉
７…係止部材
８…ストッパピン収納部
９…第１の孔
１０…第２の孔
１１…第３の孔
【図１】
0003570010.tif 000002
【図２】
0003570010.tif 000003
【図３】
0003570010.tif 000004
【図４】
0003570010.tif 000005
【図５】
0003570010.tif 000006